(57)【特許請求の範囲】
【請求項１】
前身頃（１１）と、後身頃（１２）と、股下部（１３）とが伸縮性生地（２０）で形成されて、前記前身頃と前記後身頃の上縁部に形成される胴回り部（１５）および一対の脚開口部（１６）とを有し、前記股下部が生理用ナプキンの装着部とされている生理用ショーツにおいて、
前記伸縮性生地は、伸縮性繊維（３１）と、消臭機能を発揮する繊維（３５）とを有し各繊維が編まれた織布であり、前記消臭機能を発揮する繊維が、前記伸縮性生地の肌側にのみ現れ、あるいは外側よりも肌側に多く現れるように、各繊維が編み込まれていることを特徴とする生理用ショーツ。
【請求項２】
前記伸縮性生地は、前記伸縮性繊維（３１）と、前記消臭機能を発揮する繊維（３５）と、さらに非伸縮性繊維（３２）とで編まれた織布である請求項１記載の生理用ショーツ。
【請求項３】
前記伸縮性生地（２０）は、前記伸縮性繊維（３１）あるいは伸縮性繊維と非伸縮性繊維（３２）により、肌側でループ（３３）が形成され、ループ間を繋ぐ斜めに延びる繊維が外側に現れるように編まれており、前記消臭機能を発揮する繊維（３５）が、前記ループに編み込まれている請求項１または２記載の生理用ショーツ。
【請求項４】
前記消臭機能を発揮する繊維（３５）は、少なくとも一部が、ヒドラジン処理による架橋結合とカルボキシル基とを有して構成された架橋型アクリレートであり、ｐＨが４．０〜７．０の範囲内に調整されたものである請求項１ないし３のいずれかに記載の生理用ショーツ。
【発明の詳細な説明】
【０００１】
【発明の属する技術分野】
本発明は、ｐＨ調整により脱臭機能を発揮する繊維が編み込まれた生地で形成された生理用ショーツに関する。
【０００２】
【従来の技術及び発明が解決しようとする課題】
従来の生理用ショーツは、ナイロンなどを主体とする通気性素材で形成され、生理用ナプキンの装着部である股下部の通気性を確保すると共に、活性炭等に代表される物理吸着性の物質をショーツに含有させることで、防臭対策がなされていた。
【０００３】
しかしながら物理吸着によると、特定の物質しか吸着されず、例えばアンモニア等の塩基性ガス及び低級脂肪酸等の酸性ガスの双方の刺激臭を完全に吸着することができなかった。
【０００４】
また物理吸着では、吸着力に限界があるため、生理用ショーツを長時間使用する場合には、効果的な防臭効果を得ることができなかった。
【０００５】
本発明は上記問題を解決するためのものであり、特にショーツを形成する生地にｐＨ調整による防臭機能が付与された繊維を用いることで、防臭効果を高めることが可能な生理用ショーツを提供することを目的としている。
【０００６】
【課題を解決するための手段】
本発明は、前身頃と、後身頃と、股下部とが伸縮性生地で形成されて、前記前身頃と前記後身頃の上縁部に形成される胴回り部および一対の脚開口部とを有し、前記股下部が生理用ナプキンの装着部とされている生理用ショーツにおいて、
前記伸縮性生地は、伸縮性繊維と、消臭機能を発揮する繊維とを有し各繊維が編まれた織布であり、前記消臭機能を発揮する繊維が、前記伸縮性生地の肌側にのみ現れ、あるいは外側よりも肌側に多く現れるように、各繊維が編み込まれていることを特徴とするものである。
【０００７】
例えば、前記消臭機能を発揮する繊維は、少なくとも一部が、ヒドラジン処理による架橋結合とカルボキシル基とを有して構成された架橋型アクリレートであり、ｐＨが４．０〜７．０の範囲内に調整されたものである。
【０００８】
本発明によれば、アンモニアガス等の塩基性ガスが発生した場合、前記架橋型アクリレートのカルボキシル基との間で中和によるｐＨ調整が行われる。よって前記塩基性ガスは、前記架橋型アクリレート内に閉じ込められ、このガスがショーツの外部に漏れ出すことが無くなる。
【０００９】
また低級脂肪酸等の酸性ガスが発生した場合には、ヒドラジン架橋の元素Ｎとの間で中和によるｐＨ調整が行われる。このため前記酸性ガスは、前記架橋型アクリレート内に閉じ込められ、このガスがショーツの外部に漏れ出すことが無くなる。
【００１０】
また本発明では、前記架橋型アクリレート繊維のｐＨが好ましくは４．０〜７．０の範囲内に調整され、弱酸性である。一方、人の肌が弱酸性である。塩基性ガスや酸性ガスが発生した場合、これらのガスと架橋型アクリレートとの間で中和によるＰＨ調整が行われるので、前記架橋型アクリレートは、弱酸性に保たれ、前記架橋型アクリレートと肌とが直接接する場合でも肌の健康を損ねることがない。
【００１１】
また、例えば、前記伸縮性生地は、前記伸縮性繊維あるいは伸縮性繊維と非伸縮性繊維により、肌側でループが形成され、ループ間を繋ぐ斜めに延びる繊維が外側に現れるように編まれており、前記消臭機能を発揮する繊維が、前記ループに編み込まれているものであり、これはトリコットハーフ編みとして実現することができる。
【００１２】
【発明の実施の形態】
図１は本発明の実施の形態の生理用ショーツを示す斜視図であり、図２は前記ショーツの内側面を示す展開図、図３は生理用ショーツを形成する伸縮性生地の編み構造の一例を外面側から示す拡大説明図である。
【００１３】
図２では、前身頃１１、股下部１３、後身頃１２が連続するＹ方向を縦方向とし、これと直交するＸ方向を横方向とする。この生理用のショーツは、前身頃１１、後身頃１２、股下部１３が伸縮性生地２０で形成されている。伸縮性生地２０は、前記前身頃１１の側縁１１ａと前記後身頃１２の側縁１２ａとが接合され、前記前身頃１１の側縁１１ｂと前記後身頃１２の側縁１２ｂとが接合されることで腰回りに連続する。また上部には胴回り部１５が開口し、股下部１３の両側に脚開口部１６，１６が形成されている。
【００１４】
前記股下部１３の内側には、伸縮性で且つ通気性の防水布（または撥水性の布）１８が重ねられてその縁部が伸縮性生地２０に縫合されている。図１に示す生理用ナプキン２５は前記股下部１３において、前記防水布１８の内側に装着される。
【００１５】
前記伸縮性生地２０は、肌触りが良く且つ通気性を有する素材で形成されている。図３は前記伸縮性生地２０を外側から見た拡大図である。この伸縮性生地２０は、弾性伸縮性繊維であるポリウレタン繊維で形成されたポリウレタン繊維糸３１と、肌触りの良い非伸縮性繊維であるナイロン繊維で形成されたナイロン繊維糸３２とで、トリコットハーフ編みの織布が形成されている。
【００１６】
この織布は、図３の紙面奥側で、ポリウレタン繊維糸３１とナイロン繊維糸３２が一緒になってループ３３を形成している。図３においてに上下方向に延びるＯ−Ｏを基準線としたときに、前記基準線Ｏ−Ｏに位置するループ３３の下側基端からポリウレタン繊維糸３１が左肩上がり方向および左肩下がり方向へ長く斜めに延びている。このポリウレタン繊維糸３１は図３の紙面の最も手前側に現れている。また、前記基準線Ｏ−Ｏに位置するループ３３の下側基端からナイロン繊維糸３２が右肩上がり方向および右肩下がり方向へ短く斜めに延びている。このナイロン繊維糸３２は、前記ポリウレタン繊維糸３１の紙面奥側を通過している。そして、前記ポリウレタン繊維糸３１は基準線Ｏ−Ｏよりも左側へ延びて他のナイロン繊維糸３２とループ３３を形成し、前記ナイロン繊維糸３２は、基準線Ｏ−Ｏから右側へ延びて他の前記ポリウレタン繊維糸３１とループ３３を形成している。よって、全てのループ３３は紙面奥側に位置している。
【００１７】
この生地は、前記ポリウレタン繊維糸３１が伸び、且つループ３３が収束することで伸びることができ、引っ張り力を除去するとポリウレタン繊維糸３１の弾性復元力により元の状態に復元する。
【００１８】
この伸縮性生地２０は、図３の左右方向への伸び量が、図３の上下方向への伸び量よりも大きくなる。図３に示す伸縮性生地２０は、左右方向が図２に示す生理用ショーツの縦方向（Ｙ方向）へ向けられた状態、さらにループ３３が肌側に現れるようにして縫製される。
【００１９】
そして、図３に示す前記伸縮生地２０の紙面奥側（ショーツの肌側）に現れるループ３３に、消臭機能を発揮する繊維糸３５が編み込まれている。したがって、前記消臭機能を発揮する繊維糸３５は、生理用ショーツの肌側にのみ現われ、外側にはほとんど現れない構造となっている。なお、生地の編み構造は図３に示すトリコットハーフ編みに限られるものではなく他の編み構造であってもよい。そして、編み構造によっては、前記消臭機能を発揮する繊維糸３５が外側に現れることも有り得る。ただし、本発明では、前記繊維糸３５が生地の肌側において外側よりも多く現れたものとすることが好ましい。
【００２０】
なお、図３では、ポリウレタン繊維糸３１とナイロン繊維糸３２とが編み込まれた構造であるが、例えばポリウレタン繊維の表面にナイロンが被覆された複合繊維により形成された糸で前記伸縮性生地２０が形成され、この生地２０の肌側に消臭機能を発揮する繊維糸３５が編み込まれていてもよい。
【００２１】
前記消臭機能を発揮する繊維糸３５は、架橋型アクリレートの単繊維と、アクリル単繊維とが混紡された糸であり、１５０〜２５０ｄｔｅｘである。
【００２２】
前記架橋型アクリレートは、アクリロニトリル（ＣＨ2＝ＣＨ−ＣＮ）とモノマーとしてアクリル酸メチルとの共重合体を主体としている。前記モノマーの他の例としては、ハロゲン化ビニル、ハロゲン化ビニリデン、ｐ−スチレンスルホン酸等のスルホン酸含有モノマーやその塩、イタコン酸等のカルボン酸含有モノマーやその塩、アクリルアミド、スチレン、酢酸ビニル等を挙げることができる。
【００２３】
本発明の架橋型アクリレートは、さらに前記アクリレートに、ヒドラジン処理が施され、ニトリル基（−ＣＮ）が架橋結合して架橋型とされている。ヒドラジン（ＮＨ2−ＮＨ2）としては、水加ヒドラジン、硫酸ヒドラジン等を例示できる。
【００２４】
さらに加水分解処理によって、残存するニトリル基の一部がカルボキシル基（−ＣＯＯＨ）に、残部のニトリル基がアミド基（−ＣＯＮＨ2）に変換される。この変換処理は、アルカリ金属水酸化物、アンモニア等の塩基水溶液や強酸等の含受によって行える。なお本発明の架橋型アクリレートは、ＰＨが４．０〜７．０に調整されて弱酸性となっている。
【００２５】
【化１】
0003748034.tif 000002
【００２６】
化１は、アクリロニトリルと他のモノマーとの重合によって形成された主鎖を有しており、これら主鎖どうしが、橋かけＡによって架橋結合されている。橋かけＡは、ニトリル基がヒドラジン処理によって架橋結合された部分である。
【００２７】
生理時の月経などによる排出液や身体内から出る汗などの分泌液が、空気に曝されると酸化作用などにより、低級脂肪酸などの酸性ガスやアンモニアガスなどの塩基性ガスが発生する。
【００２８】
本発明では、このような不快な刺激臭を有するガスが発生したときに、上記架橋型アクリレートのｐＨ調整による脱臭作用によって、前記ガスがショーツの外部に漏れ出すことを適切に抑制するというものである。
【００２９】
すなわち、アンモニアガスなどの塩基性ガスは、化１に示すカルボキシル基との間で中和によるｐＨ調整が行なわれる。上記したように、架橋型アクリレートはｐＨが４．０〜７．０の弱酸性に調整されたものであるが、ｐＨ調整が行なわれることで、前記架橋型アクリレートは弱酸性に適切に保たれる。
【００３０】
しかも本発明では、前記塩基性ガスは、カルボキシル基との中和反応により、架橋型アクリレート内に閉じ込まれるので、前記ガスが、ショーツの外部に漏れ出すことを適切に抑制でき、消臭効果を高めることが可能である。
【００３１】
また低級脂肪酸などの酸性ガスは、橋かけＡの元素Ｎとの間で中和によるｐＨ調整が行なわれる。このｐＨ調整により、前記架橋型アクリレートは弱酸性に保たれる。
【００３２】
しかも前記酸性ガスと、ヒドラジン架橋のＮとの間での中和反応によって、前記ガスは、架橋型アクリレート内に閉じ込められて、ショーツ外部に漏れ出すことを適切に抑制でき、消臭効果を高めることが可能である。
【００３３】
このように本発明では、塩基性ガスや酸性ガスが発生すると、前記架橋型アクリレートにより、中和反応によるｐＨ調整がなされて弱酸性に保ちながら、前記塩基性ガスや酸性ガスは、前記架橋型アクリレート内に封じ込まれ、効果的な防臭効果を発揮することが可能になっている。
【００３４】
また、前記繊維糸３５を形成するアクリル繊維の樹脂は、アクリロニトリルの付加重合体である。
【００３５】
【発明の効果】
以上に説明したように本発明の生理用ショーツでは、その内側に位置する消臭機能を有する繊維により、消臭・防臭効果を発揮できる。しかも前記消臭機能を発揮する繊維は、主にショーツの肌側に位置しているので、高い消臭効果を期待できる。
【図面の簡単な説明】
【図１】本発明の実施の形態の生理用ショーツを示す斜視図、
【図２】図１の生理用ショーツの展開図、
【図３】生理用ショーツを形成する伸縮性生地を外側から示す拡大図、
【符号の説明】
１１  前身頃
１２  後身頃
１３  股下部
１５  胴回り部
１６  脚開口部
２０  伸縮性生地
３１  ポリウレタン繊維糸
３２  ナイロン繊維糸
３３  ループ
３５  消臭機能を有する繊維糸
【図１】
0003748034.tif 000003
【図２】
0003748034.tif 000004
【図３】
0003748034.tif 000005